(57)【要約】【課題】磁気センサの交換を容易に行なうことができ、メンテナンスや修理にかかるコストを低減させることができる衣類乾燥機を提供する。【解決手段】筐体２内の回転ドラム６の外壁に回転検知用の磁石１７を設ける。表側に操作スイッチを備え裏側に制御基板ユニット１５を備える操作パネル５を筐体２の前壁板３の操作パネル取り付け用開口１３に着脱自在に設ける。磁気センサ１８を、操作パネル取り付け用開口１３の近傍における筐体２の前壁板３の内側に着脱自在に設ける。制御基板ユニット１５に、磁気センサ１８から延出するリード線を着脱自在に接続するコネクタを設ける。【選択図】図２
2004248775.tif 000002
【特許請求の範囲】
【請求項１】
内部に収容した衣類を回転させつつ乾燥させる回転ドラムと、該回転ドラムを回転駆動する駆動モータと、該回転ドラムの外壁に取り付けられた回転検知用の磁石と、該磁石を介して回転ドラムの回転状況を検知する磁気センサとが筐体内部に収納されており、表側に操作スイッチを備えると共に裏側に制御基板ユニットを備える操作パネルが、前記筐体の前壁板に形成された操作パネル取り付け用開口に着脱自在に設けられた衣類乾燥機において、
前記磁気センサは、操作パネル取り付け用開口の近傍における前記筐体の前壁板の内側に着脱自在に保持され、
前記制御基板ユニットには、前記磁気センサから延出するリード線がコネクタを介して着脱自在に接続されていることを特徴とする衣類乾燥機。
【請求項２】
前記操作パネルは、その下縁部が前記操作パネル取り付け用開口の周縁下部にヒンジを介して揺動自在に連結されていることを特徴とする請求項１記載の衣類乾燥機。
【請求項３】
前記操作パネルには、前記操作パネル取り付け用開口を開放する方向に前記ヒンジを介して揺動したとき、前記操作パネル取り付け用開口の一側縁に掛止して、該操作パネルを略水平に維持する掛止手段が連設されていることを特徴とする請求項２記載の衣類乾燥機。
【請求項４】
前記磁気センサは、センサ本体が角柱状のケース内に収納されて前記リード線が該ケースの外方に延出され、該ケースの一端部には、固定ネジを貫通させる貫通穴が形成されており、
前記筐体の前壁板内面には該磁気センサを着脱自在に保持するセンサ用ホルダが設けられ、
該センサ用ホルダは、前記筐体の前壁に連結する連結部と、該連結部に連設されたセンサ保持部とからなり、
該センサ保持部は、前記磁気センサのケースの前記貫通穴に挿通して該磁気センサを揺動自在に支持する支持軸と、該支持軸に支持された磁気センサを前記磁石の回転起動に対向する位置に係脱自在に係止する係止部とを備えることを特徴とする請求項１乃至３の何れか１項記載の衣類乾燥機。
【発明の詳細な説明】
【０００１】
【発明の属する技術分野】
本発明は、衣類乾燥機に関する。
【０００２】
【従来の技術】
この種の衣類乾燥機においては、衣類を回転させつつ乾燥させる回転ドラムに回転検知用の磁石を設け、該磁石の回転を磁気センサによって検知することにより回転ドラムの回転を制御することが行なわれている。また、この種の衣類乾燥機は、筐体の前壁の一部に操作パネルが設けらており、操作パネルの操作スイッチによる運転操作が行なわれる。そして、該操作パネルの裏面側には制御基板ユニットが設けられており、前記磁気センサは制御基板ユニットを構成する回路基板により固設されている（例えば、特許文献１参照）。
【０００３】
ところで、前記磁気センサは衝撃等により比較的故障し易いことが知られており、メンテナンスの際に磁気センサの故障が判明したときには、前記制御基板ユニットの回路基板を交換することが行なわれる。
【０００４】
しかし、この種の回路基板は、磁気センサ以外にも電子部品を備えており、磁気センサのみの故障であっても、他の正常な電子部品が共に廃棄されるめメンテナンスや修理にかかるコストが高くなる不都合がある。
【０００５】
【特許文献１】
特開平８−１１７４９２号公報（図１及び図３）
【０００６】
【発明が解決しようとする課題】
かかる不都合を解消して、本発明は、磁気センサの交換を容易に行なうことができ、メンテナンスや修理にかかるコストを低減させることができる衣類乾燥機を提供することを目的とする。
【０００７】
【課題を解決するための手段】
かかる目的を達成するために、本発明は、内部に収容した衣類を回転させつつ乾燥させる回転ドラムと、該回転ドラムを回転駆動する駆動モータと、該回転ドラムの外壁に取り付けられた回転検知用の磁石と、該磁石を介して回転ドラムの回転状況を検知する磁気センサとが筐体内部に収納されており、表側に操作スイッチを備えると共に裏側に制御基板ユニットを備える操作パネルが、前記筐体の前壁に形成された操作パネル取り付け用開口に着脱自在に設けられた衣類乾燥機において、前記磁気センサは、操作パネル取り付け用開口の近傍における前記筐体の前壁板の内側に着脱自在に保持され、前記制御基板ユニットには、前記磁気センサから延出するリード線がコネクタを介して着脱自在に接続されていることを特徴とする。
【０００８】
本発明によれば、前記操作パネルを筐体の前壁に形成された操作パネル取り付け用開口から取り外すことができる。該操作パネルの裏側には前記制御基板ユニットが設けられているので、操作パネルを筐体から取り外すことで、制御基板ユニットのメンテナンス作業を容易に行なうことができる。そして、前記磁気センサは、筐体の前壁内面に設けられ、しかも操作パネル取り付け用開口の近傍に着脱自在に設けられているので、操作パネルを取り外して開放状態の操作パネル取り付け用開口からの磁気センサの取外しや交換作業を容易に行なうことができる。更に、磁気センサから延出するリード線は前記コネクタにより接続されているので、前記制御基板ユニットからの磁気センサの取外しや交換作業を容易に行なうことができる。
【０００９】
更に、磁気センサが制御基板ユニットから取外し自在に接続されているので、磁気センサが故障しても、磁気センサのみを交換するだけでよく、比較的高価な回路基板を廃棄することなくメンテナンスや修理が行なえ、メンテナンスや修理にかかるコストを低減することができる。
【００１０】
また、本発明において、前記操作パネルは、その下縁部が前記操作パネル取り付け用開口の周縁下部にヒンジを介して揺動自在に連結され、前記磁気センサのリード線は、前記操作パネルの揺動を許容する長さに延出されていることを特徴とする。
【００１１】
本発明によれば、前記操作パネルを前記操作パネル取り付け用開口から取り外したとき、前記ヒンジを介して操作パネルが筐体に連結された状態に維持される。従って、前記ヒンジを介して操作パネルを揺動させると、操作パネル取り付け用開口を開放した操作パネルは筐体に連結された状態でその裏側の制御基板ユニットが露出される。これによって、操作パネルが筐体に連結保持された状態で制御基板ユニットのメンテナンス作業等を行なうことができ、メンテナンス時の作業性を向上させることができる。
【００１２】
また、このとき前記操作パネルには、前記操作パネル取り付け用開口を開放する方向に前記ヒンジを介して揺動したとき、前記操作パネル取り付け用開口の一側縁に掛止して、該操作パネルを略水平に維持する掛止手段が連設されていることが好ましい。
【００１３】
該掛止手段により、操作パネルの裏側に設けられた制御基板ユニットが略水平姿勢とされ、且つ制御基板ユニットが上方を向いて露出されるので、制御基板ユニットのメンテナンス作業を一層容易に行なうことができる。
【００１４】
また、本発明において、前記磁気センサは、センサ本体が角柱状のケース内に収納されて前記リード線が該ケースの外方に延出され、該ケースの一端部には、固定ネジを貫通させる貫通穴が形成されており、前記筐体の前壁板内面には該磁気センサを着脱自在に保持するセンサ用ホルダが設けられ、該センサ用ホルダは、前記筐体の前壁に連結する連結部と、該連結部に連設されたセンサ保持部とからなり、該センサ保持部は、前記磁気センサのケースの前記貫通穴に挿通して該磁気センサを揺動自在に支持する支持軸と、該支持軸に支持された磁気センサを前記磁石の回転起動に対向する位置に係脱自在に係止する係止部とを備えることを特徴とする。
【００１５】
本発明における磁気センサは、センサ本体が角柱状のケース内に収納され、ケースの一端部に固定ネジを貫通させる貫通穴が形成されたものが採用される。一方、該磁気センサを着脱自在に保持するセンサ用ホルダは、その連結部を介して筐体の前壁内面に連結されている。そして、センサ用ホルダに磁気センサを取り付けるときには、先ず、センサ用ホルダのセンサ保持部に形成された支持軸に、磁気センサのケースの貫通穴を挿通させる。次いで、支持軸を支点として磁気センサを係止部に向かって揺動させる。これにより、係止部が磁気センサのケースを前記磁石の回転起動に対向する位置に係止し、磁気センサがセンサ用ホルダに保持される。センサ用ホルダから磁気センサを取り外すときには、支持軸を支点として磁気センサを揺動させて係止部による係止を解除し、支持軸から磁気センサのケースの貫通穴を抜き取るだけで磁気センサの取外しが完了する。このように前記センサ用ホルダを採用することにより、磁気センサを筐体の前壁内面に確実に前記磁石の回転を検知する位置に保持することができ、しかも、容易に取り外すことができるので、磁気センサのメンテナンスや交換を容易に行なうことができる。
【００１６】
【発明の実施の形態】
本発明の一実施形態を図面に基づいて説明する。図１は本実施形態の衣類乾燥機を示す説明的正面図、図２は図１のＩＩ−ＩＩ線断面説明図、図３は操作パネルの取外し状態を示す説明図、図４は操作パネルの他の取外し状態を示す説明図、図５は筐体の前壁板の裏側を示す説明図、図６は磁気センサを示す説明的斜視図、図７はセンサ用ホルダを示す説明的斜視図、図８はセンサ用ホルダへの磁気センサの取り付け作業を示す説明図である。
【００１７】
本実施形態の衣類乾燥機１は、図１に示すように、筐体２の前面を構成する前壁板３に開閉扉４と操作パネル５とを備えている。図２に示すように、筐体２の内部には、円筒状の回転ドラム６と、該回転ドラム６を駆動する駆動モータ７とが収容され、更に図示を省略したが加熱手段やその他の構成部品が収容されている。回転ドラム６は、水平方向を軸線として回転自在に設けられ、その一端に形成された衣類投入口８が前記開閉扉４に対応している。即ち、開閉扉４を開放することにより衣類投入口８から回転ドラム６の内部に衣類が投入される。また、回転ドラム６の後方位置には、ファン１０が配設されている。詳しくは図示しないが、回転ドラム６及びファン１０の回転は、ベルト１１，１２を介して駆動モータ７により駆動される。
【００１８】
前記操作パネル５は、図２及び図３に示すように、筐体２の前壁板３に形成された操作パネル取り付け用開口１３に装着されている。更に、操作パネル５は、図３に示すように、その下端縁がヒンジ１４を介して操作パネル取り付け用開口１３の下縁に連結され、これによって、操作パネル５は筐体２の前壁板３に連結された状態で揺動自在に設けられている。操作パネル取り付け用開口１３は操作パネル５を揺動させて取り外したときにメンテナンス作業の作業者の手が筐体２内部に入る大きさに開放され、操作パネル５を装着することにより閉塞される。なお、前記ヒンジ１４は、連結状態が強固に維持される構造のものであってもよいが、連結を解除できる構造のものを採用してもよい。
【００１９】
前記操作パネル５は、表側に複数の操作スイッチ（図示省略）が設けられており、裏側には、図３に示すように、回路基板等により構成される制御基板ユニット１５を備えている。制御基板ユニット１５は、操作スイッチの操作に基づいて回転ドラム６の回転状態や衣類の加熱温度等の乾燥運転を制御するものである。
【００２０】
なお、前記操作パネル５は、図４に示すように、操作パネル取り付け用開口１３の周縁部に掛止する掛止板１６（掛止手段）を設けておくことで、操作パネル５を取り外したときに、操作パネル５の制御基板ユニット１５が上方に露出した状態で水平に保持することができ、制御基板ユニット１５のメンテナンス作業を行い易くすることが可能となる。本発明の掛止手段としては、図４に示す掛止板１６に限るものではなく、例えば、図示しないが、ひも状の結束部材により操作パネル５と操作パネル取り付け用開口１３の周縁部とを連結して該結束部材の緊張により操作パネル５を略水平に保持してもよい。
【００２１】
また、図２に示すように、回転ドラム６の前端周壁の所定位置には磁石１７が設けられており、筐体２の前壁板３には該磁石１７を検知する磁気センサ１８が設けられている。更に詳しくは、筐体２の前壁板３の操作パネル取り付け用開口１３の近傍にはセンサ用ホルダ１９が固設され、磁気センサ１８は、該センサ用ホルダ１９に着脱自在に保持されている。そして、磁気センサ１８のリード線２０は、図５に示すように、操作パネル５の裏側に設けられたコネクタ２１を介して制御基板ユニット１５に接続される。該コネクタ２１は磁気センサ１８のリード線２０を着脱自在に接続するものである。このように、磁気センサ１８を制御基板ユニット１５に一体に固設するのではなく、制御基板ユニット１５から磁気センサ１８を分離して設け、しかも、リード線２０をコネクタ２１により着脱自在に設けたので、磁気センサ１８が故障した場合には磁気センサ１８のみを交換することができる。これにより、メンテナンスにかかるコストを低減することができる。また、磁気センサ１８は操作パネル取り付け用開口１３の近傍にセンサ用ホルダ１９を介して着脱自在に保持されているので、メンテナンス作業を効率よく行なうことができる。
【００２２】
なお、操作パネル５は、操作パネル取り付け用開口１３から取り外しても前記ヒンジ１４によって筐体２の前壁板３への連結状態が維持されるので、リード線２０は、操作パネル５を操作パネル取り付け用開口１３から取り外す際の操作パネル５の揺動を許容する長さ寸法に延設すれば比較的短くてもよい。更に、リード線２０の長さ寸法は、図４に示すように掛止部１６を備える場合が、図３の場合よりも短くてよいので好ましい。
【００２３】
前記磁気センサ１８は、図６に示すように、角柱状の合成樹脂製ケース２２の内部に図示しないセンサ本体が一体的に収納されている。該ケース２２の下方からは前記リード線２０が延出されている。また、該ケース２２の上端部と下端部とにはそれぞれ貫通穴２３，２４が形成されている。該貫通穴２３，２４は、図示しない固定ネジを挿通させて所望の設置場所に該ケース２２をネジ止めするために設けられているものである。
【００２４】
一方、前記磁気センサ１８を着脱自在に保持する前記センサ用ホルダ１９は、合成樹脂によって形成されており、図７に示すように、板状の連結部２５と、連結部２５に連設されたセンサ保持部２６とを備えている。図５に示すように、連結部２５はネジ穴２７を介して前記筐体２の前壁板３にネジ止め固定される。図７に示すように、連結部２５のネジ穴２７の上方に設けられているスリット２８は図示しないが筐体２の前壁板３に設けられた位置決め爪に嵌合して連結部２５の回転を防止するものである。
【００２５】
前記センサ保持部２６は、前記磁気センサ１８のケース２２の上端部に形成された前記貫通穴２３に挿通自在の支持軸２９と、前記磁気センサ１８を前記磁石１７の回転起動に対向する位置において係止して保持状態を維持する係止部３０とを備えている。該係止部３０は、前記磁気センサ１８のケース２２の外周面に対応する形状であって前記磁気センサ１８のケース２２の一側面を開放する形状の弾性抑え部３１と該弾性抑え部３１の先端内方に突設されて前記磁気センサ１８のケース２２の一側面の端部を係止する爪部３２とを備えている。また、センサ保持部２６には、前記磁気センサ１８を係止部３０に係止させるに先立って、該磁気センサ１８のケース２２の一側面に突き当たって該磁気センサ１８の姿勢を安定させる突起３３が設けられている。
【００２６】
該センサ用ホルダ１９への磁気センサ１８の取り付け作業は次のようにして行なわれる。先ず、図８（ａ）に示すように、センサ用ホルダ１９の前記支持軸２９を前記磁気センサ１８のケース２２の上端部に形成された前記貫通穴２３に挿通させる。次いで、前記支持軸２９を支点として磁気センサ１８を係止部３０に向かって揺動させる。これにより、図８（ｂ）に示すように、係止部３０の弾性抑え部３１の内方に磁気センサ１８が収まり、図８（ｃ）に底面視して示すように、ケース２２の一側面の端部が爪部３２により係止される。また、該センサ用ホルダ１９から磁気センサ１８を取り外すときには、取り付け時と逆の手順を行なえばよい。即ち、図８（ｂ）に示す状態から、前記支持軸２９を支点として磁気センサ１８を弾性抑え部３１の開放側に揺動させる。これにより、図８（ａ）に示す状態となるので、支持軸２９から磁気センサ１８の貫通穴２３を抜き取るようにして取り外せばよい。
【００２７】
なお、本実施形態においては、磁気センサ１８を筐体２の前壁板３の内側に着脱自在に保持するために前記センサ用ホルダ１９を設けた例を示したが、本発明においてはこれに限るものではない。例えば、図示しないが、筐体２の前壁板３に磁気センサ１８を着脱自在に保持する金具等を一体に設けてもよい。
【図面の簡単な説明】
【図１】本発明の一実施形態の衣類乾燥機を示す説明的正面図。
【図２】図１のＩＩ−ＩＩ線断面説明図。
【図３】操作パネルの取外し状態を示す説明図。
【図４】操作パネルの他の取外し状態を示す説明図。
【図５】筐体の前壁板の裏側を示す説明図。
【図６】磁気センサを示す説明的斜視図。
【図７】センサ用ホルダを示す説明的斜視図。
【図８】センサ用ホルダへの磁気センサの取り付け作業を示す説明図。
【符号の説明】
１…衣類乾燥機、２…筐体、３…前壁板、５…操作パネル、６…回転ドラム、７…駆動モータ、１３…操作パネル取り付け用開口、１４…ヒンジ、１５…制御基板ユニット、１６…掛止手段、１７…磁石、１８…磁気センサ、１９…センサ用ホルダ、２０…リード線、２１…コネクタ、２２…ケース、２３…貫通穴、２５…連結部、２６…センサ保持部、２９…支持軸、３０…係止部。
【図１】
2004248775.tif 000003
【図２】
2004248775.tif 000004
【図３】
2004248775.tif 000005
【図４】
2004248775.tif 000006
【図５】
2004248775.tif 000007
【図６】
2004248775.tif 000008
【図７】
2004248775.tif 000009
【図８】
2004248775.tif 000010